(57)【要約】      （修正有）【課題】二次元的に配列した複数の光伝送路の接続に適した光コネクタ及び光伝送モジュールを提供する。【解決手段】光コネクタは、二次元配列で配列する複数の光伝送路用の光コネクタであって、第１のレンズ１５４と、第２のレンズ１５５と、第３のレンズ１５６と、第４のレンズ１５７とを具備する。第１のレンズ１５４は、複数の光伝送路に含まれる第１の光伝送路１１５からの出射光を反射する。第２のレンズ１５５は、複数の光伝送路に含まれる第２の光伝送路１１６からの出射光を反射する。第３のレンズ１５６は、第１のレンズによって反射された光を平行化する。第４のレンズ１５７は、第２のレンズ１５５によって反射された光を平行化する。【選択図】図１４
2017134282.tif 000002
【特許請求の範囲】
【請求項１】
二次元配列で配列する複数の光伝送路用の光コネクタであって、
前記複数の光伝送路に含まれる第１の光伝送路からの出射光を反射する第１のレンズと、
前記複数の光伝送路に含まれる第２の光伝送路からの出射光を反射する第２のレンズと、
前記第１のレンズによって反射された光を平行化する第３のレンズと、
前記第２のレンズによって反射された光を平行化する第４のレンズと
を具備する光コネクタ。
【請求項２】
請求項１に記載の光コネクタであって、
前記第３のレンズは、前記第１の光伝送路からの出射光とは逆方向から入射した平行光を前記第１のレンズを介して前記第１の光伝送路に集光し、
前記第４のレンズは、前記第２の光伝送路からの出射光とは逆方向から入射した平行光を前記第２のレンズを介して前記第２の光伝送路に集光する
光コネクタ。
【請求項３】
請求項１又は２に記載の光コネクタであって、
前記第１の光伝送路と前記第２の光伝送路は同一の開口数を有し、
前記第１のレンズは、前記第１の光伝送路からの出射光を第１の光径で前記第３のレンズに入射させ、
前記第２のレンズは、前記第２の光伝送路からの出射光を前記第１の光径で前記第４のレンズに入射させる
光コネクタ。
【請求項４】
請求項３に記載の光コネクタであって、
前記第１の光径は１６０μｍ以上２００μｍ以下である
光コネクタ。
【請求項５】
請求項１に記載の光コネクタであって、
前記複数の光伝送路は、第１の方向に沿って前記第１の光伝送路が配列した第１の光伝送路列と、前記第１の方向に沿って前記第２の光伝送路が配列した第２の光伝送路列を含み、前記第１の光伝送路列と前記第２の光伝送路列は、前記第１の方向に直交する第２の方向に沿って配列する
光コネクタ。
【請求項６】
請求項５に記載の光コネクタであって、
前記第１の方向と前記第２の方向における光伝送路の配列ピッチは２５０μｍである
光コネクタ。
【請求項７】
請求項５に記載の光コネクタであって、
前記第１の光伝送路及び前記第２の光伝送路は第１の面に対向し、
前記第３のレンズ及び前記第４のレンズは第２の面に設けられ、
前記第１のレンズ及び前記第２のレンズは、前記第１の方向及び前記第２の方向に直交する第３の方向に対して傾斜する傾斜面に設けられている
光コネクタ。
【請求項８】
請求項７に記載の光コネクタであって、
前記第２の面における前記第３のレンズ及び前記第４のレンズの配列ピッチは２５０μｍである
光コネクタ。
【請求項９】
請求項７に記載の光コネクタであって、
前記第３のレンズ及び前記第４のレンズから前記傾斜面に入射する光の光軸と前記傾斜面のなす角は４５°未満である
光コネクタ。
【請求項１０】
請求項７に記載の光コネクタであって、
前記第２の面において、前記第３のレンズと前記第４のレンズのそれぞれのレンズの間に設けられ、隣接するレンズの間で遮光するアパーチャ
をさらに具備する光コネクタ。
【請求項１１】
二次元配列で配列する複数の光伝送路と、
前記複数の光伝送路に含まれる第１の光伝送路からの出射光を反射する第１のレンズと、前記複数の光伝送路に含まれる第２の光伝送路からの出射光を反射する第２のレンズと、前記第１のレンズによって反射された光を平行化する第３のレンズと、前記第２のレンズによって反射された光を平行化する第４のレンズとを備える光コネクタと
を具備する光伝送モジュール。
【発明の詳細な説明】
【技術分野】
【０００１】
本技術は、光通信に利用可能な光コネクタ及び光伝送モジュールに関する。
【背景技術】
【０００２】
近年、注目されている光伝送技術において、二次元的に配列した複数の光ファイバを用いて大容量化を実現する技術がある。この技術では二次元的に配列した複数の光ファイバを接続対象物に接続可能な光コネクタが必要である。
【０００３】
従来は、複数の光ファイバが接続対象面に対して垂直に接続される縦型光コネクタが用いられていた。一方で光コネクタを民生機器に搭載する上では複数の光ファイバが接続対象面に対して平行に接続される横型光コネクタの方が薄型化や低コスト化の面で利点が大きい。
【０００４】
ここで、光コネクタは、光電変換素子が配置されている基板に装着された状態で光ファイバと光電変換素子の光学的結合がなされる。この基板に低コストであるが機械的強度が小さい有機基板を利用する場合、光コネクタと基板の位置精度が問題となる。これに対し、光ファイバからの出射光を平行化して光電変換素子に伝送するコリメート光（平行光）結合タイプの光コネクタは光軸ズレに強く、注目されている。
【０００５】
例えば、特許文献１には、一列に配列した複数の光ファイバを接続するための光コネクタが開示されている。この光コネクタは、複数の光ファイバからの出射光が入射する反射面と、反射面で反射した光が入射するレンズを備えており、レンズは入射光を平行化し、光電変換素子に対して出射する。
【先行技術文献】
【特許文献】
【０００６】
【特許文献１】特開２０１４−４８６４０号公報
【発明の概要】
【発明が解決しようとする課題】
【０００７】
ここで、特許文献１に記載の光コネクタは、一列に配列された複数の光ファイバを接続するものである。二次元的に配列した複数の光伝送路を接続可能でありながら、薄型化、低コスト化が可能な光コネクタが望まれている。
【０００８】
以上のような事情に鑑み、本技術の目的は、二次元的に配列した複数の光伝送路の接続に適した光コネクタ及び光伝送モジュールを提供することにある。
【課題を解決するための手段】
【０００９】
上記目的を達成するため、本技術の一形態に係る光コネクタは、二次元配列で配列する複数の光伝送路用の光コネクタであって、第１のレンズと、第２のレンズと、第３のレンズと、第４のレンズとを具備する。
上記第１のレンズは、上記複数の光伝送路に含まれる第１の光伝送路からの出射光を反射する。
上記第２のレンズは、上記複数の光伝送路に含まれる第２の光伝送路からの出射光を反射する。
上記第３のレンズは、上記第１のレンズによって反射された光を平行化する。
上記第４のレンズは、上記第２のレンズによって反射された光を平行化する。
【００１０】
この構成によれば、第１の光伝送路から出射した光は第１のレンズによって第３のレンズに向けて反射され、第３のレンズによって平行化される。また、第２の光伝送路から出射した光は第２のレンズによって第４のレンズに向けて反射され、第４のレンズによって平行化される。第３のレンズ及び第４のレンズから出射された平行光は、第３のレンズ及び第４のレンズにそれぞれ対向する光電変換素子に入射し、光電変換される。第３のレンズ及び第４のレンズを設けることにより、本光コネクタは光コネクタの位置ズレ等によって生じる光軸ズレに伴う光結合損失が小さい平行光を出射するため、位置精度が比較的低いが低コストである有機基板を接続に利用することができる。また、光伝送路が二次元的に配列している場合、光伝送路が一次元的に配列している場合に比べて第１の光伝送路から第３のレンズまでの光路長及び第２の光伝送路から第４のレンズまでの光路長が長くなるが、第１のレンズと第２のレンズを設けることにより、第３のレンズ及び第４のレンズに入射する光の光径を小さくし、第３のレンズ及び第４のレンズから出射される平行光の光径を抑制することができる。これにより、第３のレンズ及び第４のレンズにおける光のケラレ（口径食）を防止し、光結合損失を抑えることが可能となる。即ち、本光コネクタは、低コストでありながら高品位の光信号を伝送することが可能である。
【００１１】
上記第３のレンズは、上記第１の光伝送路からの出射光とは逆方向から入射した平行光を上記第１のレンズを介して上記第１の光伝送路に集光し、
上記第４のレンズは、上記第２の光伝送路からの出射光とは逆方向から入射した平行光を上記第２のレンズを介して上記第２の光伝送路に集光してもよい。
【００１２】
本技術に係る光コネクタは、第１の光伝送路及び第２の光伝送路から出射された光を光電変換素子に伝送することができ、また、光電変換素子から出射された光を第１の光伝送路及び第２の光伝送路に伝送することができる。第３のレンズ及び第４のレンズは、光電変換素子から入射した平行光を第１の光伝送路及び第２の光伝送路に集光することが可能な形状に形成されている。
【００１３】
上記第１の光伝送路と上記第２の光伝送路は同一の開口数を有し、
上記第１のレンズは、上記第１の光伝送路からの出射光を第１の光径で上記第３のレンズに入射させ、
上記第２のレンズは、上記第２の光伝送路からの出射光を上記第１の光径で上記第４のレンズに入射させてもよい。
【００１４】
この構成によれば、第３のレンズ及び第４のレンズから同一の光径（第１の光径）を有する平行光が出射される。仮に第３のレンズから出射される光と第４のレンズから出射される光が異なる光径を有する場合、光コネクタが光電変換素子に対して傾き、あるいは位置ズレが生じた場合に、第３のレンズと光電変換素子の間と第４のレンズと光電変換素子の間で光結合損失が異なり、第１の光伝送路及び第２の光伝送路の間で光信号の品位に差異が生じる。これに対し、本構成では、第３のレンズ及び第４のレンズからの出射光が同一の光径を有するため、光コネクタが光電変換素子に対して傾き、あるいは位置ズレが生じた場合であっても第１の光伝送路及び第２の光伝送路の間で光信号の品位を同等とすることができる。
【００１５】
上記第１の光径は１６０μｍ以上２００μｍ以下であってもよい。
【００１６】
第３のレンズ及び第４のレンズから出射される平行光の光径が小さすぎると、レンズ集光系の開口数が小さくなるため、照射スポットが大きくぼやけ、平行光の傾き、即ち光コネクタの傾きに弱い光学系となる。また、平行光の光径が大きすぎると、光のケラレ（口径食）が生じ易くなり、平行光の横ズレに対する耐性が小さくなる。このトレードオフの関係をバランスよく保つ光径として１６０μｍ以上２００μｍ以下が好適である。
【００１７】
上記複数の光伝送路は、第１の方向に沿って上記第１の光伝送路が配列した第１の光伝送路列と、上記第１の方向に沿って上記第２の光伝送路が配列した第２の光伝送路列を含み、上記第１の光伝送路列と上記第２の光伝送路列は、上記第１の方向に直交する第２の方向に沿って配列する
光コネクタ。
【００１８】
二つの光伝送路列が配列している複数の光伝送路を光コネクタに接続する場合、光伝送路列の間で光信号の品位が同等であることが望ましい。本技術に係る光コネクタは上記のように光伝送路列の間で光信号の品位と同等とすることが可能であり、二つの光伝送路列が配列している複数の光伝送路の接続に適している。
【００１９】
上記第１の方向と上記第２の方向における光伝送路の配列ピッチは２５０μｍであってもよい。
【００２０】
光伝送路として利用可能な光ファイバの規格として直径が２５０μｍのものがある。本技術に係る光コネクタは、直径が２５０μｍの光ファイバが配列した（即ち配列ピッチが２５０μｍ）光伝送ケーブルの接続に適している。
【００２１】
上記記第１の光伝送路及び上記第２の光伝送路は第１の面に対向し、上記第３のレンズ及び上記第４のレンズは第２の面に設けられ、上記第１のレンズ及び上記第２のレンズは、上記第１の方向及び上記第２の方向に直交する第３の方向に対して傾斜する傾斜面に設けられていてもよい。
【００２２】
この構成によれば、第１の光伝送路及び第２の光伝送路から出射された光は第１の面に入射し、傾斜面に設けられた第１のレンズ及び第２のレンズによって反射され、第２の面に設けられた第３のレンズ及び第４のレンズから出射する。また、光電変換素子から出射された光は第２の面に設けられた第３のレンズ及び第４のレンズによって集光され、傾斜面に設けられた第１のレンズ及び第２のレンズによって反射され、第１の面から第１の光伝送路及び第２の光伝送路に入射する。
【００２３】
上記第２の面における上記第３のレンズ及び上記第４のレンズの配列ピッチは２５０μｍであってもよい。
【００２４】
上記のように、本技術は直径が２５０μｍの光ファイバが配列した光伝送ケーブルの接続に適しており、２５０μｍの配列ピッチで配列した光ファイバからの出射光を２５０μｍの配列ピッチで配列した第３のレンズ及び第４のレンズから出射させることが可能である。
【００２５】
上記第３レンズ及び上記第４のレンズから上記傾斜面に入射する光の光軸と上記傾斜面のなす角は４５°未満であってもよい。
【００２６】
傾斜面の角度を入射光の光軸に対して４５°未満とすることにより、傾斜面で反射せず、傾斜面を透過する光の割合を抑えることが可能である。
【００２７】
上記光コネクタは、上記第２の面において、上記第３のレンズと上記第４のレンズのそれぞれのレンズの間に設けられ、隣接するレンズの間で遮光するアパーチャをさらに具備してもよい。
【００２８】
この構成によれば、アパーチャによって隣接するレンズ間での光の漏洩（迷光）を防止することが可能である。
【００２９】
上記目的を達成するため、本技術の一形態に係る光伝送モジュールは、複数の光伝送路と、光コネクタとを具備する。
上記複数の光伝送路は、二次元配列で配列する。
上記光コネクタは、上記複数の光伝送路に含まれる第１の光伝送路からの出射光を反射する第１のレンズと、上記複数の光伝送路に含まれる第２の光伝送路からの出射光を反射する第２のレンズと、上記第１のレンズによって反射された光を平行化する第３のレンズと、上記第２のレンズによって反射された光を平行化する第４のレンズとを備える。
【発明の効果】
【００３０】
以上のように、本技術によれば、二次元的に配列した複数の光伝送路の接続に適した光コネクタ及び光伝送モジュールを提供することが可能である。なお、ここに記載された効果は必ずしも限定されるものではなく、本開示中に記載されたいずれかの効果であってもよい。
【図面の簡単な説明】
【００３１】
【図１】本技術の第１の実施形態に係る光伝送モジュールの斜視図である。
【図２】同光伝送モジュールの断面図である。
【図３】同光伝送モジュールが備える光伝送ケーブルの断面図である。
【図４】同光伝送モジュールが備える光伝送ケーブルを構成する光ファイバの断面図である。
【図５】同光伝送モジュールが備えるコネクタ接続部の平面図である。
【図６】同光伝送モジュールが備える光コネクタの斜視図である。
【図７】同光伝送モジュールが備える光コネクタの断面図である。
【図８】同光伝送モジュールが備える光コネクタの支持部材の平面図である。
【図９】同光伝送モジュールが備える光コネクタ及び光伝送ケーブルの断面図である。
【図１０】同光伝送モジュールが備える光コネクタの導光部及び光伝送ケーブルの断面図である。
【図１１】同光伝送モジュールが備える光コネクタの導光部の斜視図である。
【図１２】同光伝送モジュールが備える光コネクタの、導光部が備える傾斜面の平面図である。
【図１３】同光伝送モジュールが備える光コネクタの導光部が備える第２面の平面図である。
【図１４】同光伝送モジュールが備える光コネクタの導光部に入射する光の経路を示す模式図である。
【図１５】同光伝送モジュールが備える光コネクタの導光部に入射する光の経路を示す模式図である。
【図１６】第１の比較例に係る光伝送モジュールが備える光コネクタの導光部に入射する光の経路を示す模式図である。
【図１７】第２の比較例に係る光伝送モジュールが備える光コネクタの導光部に入射する光の経路を示す模式図である。
【図１８】平行光の光径による、傾きと結合損失の関係を示すグラフである。
【図１９】平行光の光径による、光軸ズレと結合損失の関係を示すグラフである。
【図２０】平行光の光軸ズレに対する結合損失を測定するための測定サンプルの模式図である。
【図２１】光径１８０μｍの平行光における光軸ズレと結合損失の関係を示すグラフである。
【図２２】本技術の第２の実施形態に係る光伝送モジュールが備える光コネクタの導光部及び光伝送ケーブルの断面図である。
【図２３】同光伝送モジュールが備える光コネクタの導光部に入射する光の経路を示す模式図である。
【図２４】第１の比較例に係る光伝送モジュールが備える光コネクタの導光部に入射する光の経路を示す模式図である。
【図２５】本技術の第３の実施形態に係る光伝送モジュールが備える光コネクタの導光部及び光伝送ケーブルの断面図である。
【図２６】同光伝送モジュールが備える光コネクタの導光部に入射する光の経路を示す模式図である。
【図２７】本技術の変形例に係る光伝送モジュールが備える光コネクタ及び光伝送ケーブルの断面図である。
【図２８】同光伝送モジュールが備える光コネクタの導光部が備える第２面の平面図である。
【図２９】本技術の変形例に係る光伝送ケーブルの断面図である。
【図３０】本技術の変形例に係る光伝送ケーブルの断面図である。
【図３１】本技術の変形例に係る光伝送ケーブルの断面図である。
【発明を実施するための形態】
【００３２】
（第１の実施形態）
本技術の第１の実施形態に係る光伝送モジュールについて説明する。
【００３３】
［光伝送モジュールの構成］
図１は、本技術の第１の実施形態に係る光伝送モジュール１００の構成を示す斜視図であり、図２は光伝送モジュール１００の平面図である。なお、以下の図において相互に直交する三方向をそれぞれＸ方向、Ｙ方向及びＺ方向とする。
【００３４】
これらの図に示すように光伝送モジュール１００は、光伝送ケーブル１１０、光コネクタ１２０及びコネクタ接続部１３０を備える。
【００３５】
光伝送ケーブル１１０は、二次元的に配列した複数の光伝送路を含む。図３は光伝送ケーブル１１０の断面図である。同図に示すように、光伝送ケーブル１１０は、複数の光ファイバ１１１を含む。なお、光ファイバ１１１の数は同図に示すものに限られない。
【００３６】
図４は、光ファイバ１１１の断面図である。同図に示すように、光ファイバ１１１は、コア１１２、クラッド１１３及び被覆層１１４を備える。
【００３７】
コア１１２は、石英ガラス又はプラスチック等からなる繊維状の部材であり、高い光屈折率及び高い光透過率を有する。クラッド１１３は石英ガラス又はプラスチック等からなり、コア１１２の周囲に設けられている。
【００３８】
クラッド１１３は高い光透過率を有し、コア１１２より低い光屈折率を有する。コア１１２に入射した光はコア１１２とクラッド１１３の界面で反射し、伝送される。即ち、コア１１２は光伝送路として機能する。
【００３９】
被覆層１１４は、紫外線硬化樹脂等からなり、クラッド１１３を被覆する。被覆層１１４は、コア１１２及びクラッド１１３を保護し、光ファイバ１１１に機械的強度を付与する。
【００４０】
光ファイバ１１１はマルチモード光ファイバであってもよくシングルモード光ファイバであってもよいが、マルチモード光ファイバが好適である。光ファイバ１１１の開口数（ＮＡ）は例えば０．２とすることができる。
【００４１】
図３に示すように光伝送ケーブル１１０は、Ｘ方向に沿って配列する光ファイバ列１１１ａと、同じくＸ方向に沿って配列する光ファイバ列１１１ｂを含み、光ファイバ列１１１ａと光ファイバ列１１１ｂは、Ｙ方向に沿って配列する。
【００４２】
したがって各光ファイバ１１１に含まれるコア１１２は、Ｘ方向とＹ方向の２方向に沿って配列し、即ち二次元的に配列している。各光ファイバ列に含まれる光ファイバ１１１の数は特に限定されず、数本〜数百本とすることができる。また、光ファイバ列の数は２つに限られず、光伝送ケーブル１１０はＹ方向に沿って配列したより多数の光ファイバ列を備えていてもよい。
【００４３】
光ファイバ１１１のＸ方向及びＹ方向における配列ピッチ（図中Ｐ１、光ファイバ１１１の中心間の距離）は、例えば２５０μｍとすることができる。
【００４４】
以下、光ファイバ列１１１ａに含まれる光ファイバ１１１を光ファイバ１１５とし、光ファイバ列１１１ｂに含まれる光ファイバ１１１を光ファイバ１１６とする。
【００４５】
複数の光ファイバ１１１はそれぞれが独立しており、光コネクタ１２０に挿入されることによって図３に示すような配列を構成してもよい。また複数の光ファイバ１１１は、樹脂等によって被覆され、あるいは固定部材によって固定されることにより図３に示すような配列で一体化されていてもよい。
【００４６】
光コネクタ１２０は、コネクタ接続部１３０に装着され、光伝送ケーブル１１０から入射した光をコネクタ接続部１３０に出射し、コネクタ接続部１３０から入射した光を光伝送ケーブル１１０に出射する。光コネクタ１２０の詳細な構成については後述するが、図２に示すように光コネクタ１２０は、コネクタ接続部１３０に対向するコリメートレンズ１５６及びコリメートレンズ１５７を備える。
【００４７】
なお、光伝送ケーブル１１０の光コネクタ１２０とは反対側の端部には光コネクタ１２０と同一構造の光コネクタが設けられてもよい。
【００４８】
コネクタ接続部１３０は、図示しない実装対象物に実装され、光コネクタ１２０から入射した光を電気信号に変換し、また電気信号を光に変換して光コネクタ１２０に出射する。コネクタ接続部１３０は図１及び図２に示すように、基板１３１、コネクタ支持部１３２、光電変換素子１３３及び端子１３４を備える。
【００４９】
基板１３１は、コネクタ支持部１３２や光電変換素子１３３を支持する。図示は省略するが、基板１３１には、光電変換素子１３３を制御するための集積回路や各部を電気的に接続する配線が設けられている。基板１３１は、合成樹脂等の有機材料からなる有機基板を利用することが可能である。
【００５０】
コネクタ支持部１３２は、基板１３１に設けられ、光コネクタ１２０を支持すると共に光コネクタ１２０のコネクタ接続部１３０に対する位置決めを行う。コネクタ支持部１３２は、光コネクタ１２０に設けられた孔等に係合し、光コネクタ１２０の位置決めを行うものとすることができる。
【００５１】
光電変換素子１３３は、基板１３１に複数が設けられ、発光素子、受光素子又は発光受光兼用素子として機能する。図５は、光電変換素子１３３の配置を示す模式図である。同図に示すように、光電変換素子１３３は、基板１３１上において、Ｘ方向に沿って配列する光電変換素子列１３３ａと、同じくＸ方向に沿って配列する光電変換素子列１３３ｂを形成し、光電変換素子列１３３ａと光電変換素子列１３３ｂはＺ方向に沿って配列する。
【００５２】
以下、光電変換素子列１３３ａに含まれる光電変換素子１３３を光電変換素子１３５とし、光電変換素子列１３３ｂに含まれる光電変換素子１３３を光電変換素子１３６とする。
【００５３】
図２に示すように、光電変換素子１３５はコリメートレンズ１５６に対向する。光電変換素子１３５とコリメートレンズ１５６の間には図示しない光学系が設けられている。光電変換素子１３５が受光素子である場合、コリメートレンズ１５６から出射された平行光は光学系を介して光電変換素子１３５に入射する。また、光電変換素子１３５が発光素子である場合、光電変換素子１３５から出射された光は光学系を介して平行光となり、コリメートレンズ１５６に入射する。
【００５４】
また、光電変換素子１３６はコリメートレンズ１５７に対向する。光電変換素子１３６とコリメートレンズ１５７の間には図示しない光学系が設けられている。光電変換素子１３６が受光素子である場合、コリメートレンズ１５７から出射された平行光は光学系を介して光電変換素子１３６に入射する。また、光電変換素子１３６が発光素子である場合、光電変換素子１３６から出射された光は光学系を介して平行光となり、コリメートレンズ１５７に入射する。
【００５５】
端子１３４は、導電性材料からなり、コネクタ接続部１３０を実装対象物に電気的に接続する。端子１３４の配置や形状は特に限定されない。また、有機基板１３１と実装対象物との接続は端子１３４を用いるものでなくてもよく、一般的な電気コネクタによる接続であってもよい。なお、コネクタ接続部１３０は、光コネクタ１２０の接続対象の一例であり、光コネクタ１２０の接続対象はコネクタ接続部１３０に限定されない。例えば、光コネクタ１２０は、有機基板上に搭載された平行光を出射もしくは入射する光機能素子、有機基板上に搭載された平行光を出射もしくは入射する光コネクタ、有機基板と同様の脆弱な基材に搭載され平行光を出射もしくは入射する光電変換素子、光機能素子又は光コネクタ等に接続されるものとすることができる。また、光コネクタ１２０は、光コネクタ１２０同士で接続されてもよい。
【００５６】
［光コネクタの構成］
図６は光コネクタ１２０の斜視図であり、図７は光コネクタ１２０の断面図である。これらの図に示すように、光コネクタ１２０は、支持部材１２１及び蓋部材１２２を備える。
【００５７】
図８は、支持部材１２１の平面図である。図６乃至図８に示すように、支持部材１２１には凹部１２１ａが設けられており、凹部１２１ａ内には導光部１５０が設けられている。
【００５８】
蓋部材１２２は、凹部１２１ａを覆うように支持部材１２１に接合されている。蓋部材１２２には凹部１２１ａに連通する注入孔１２２ａが設けられている。
【００５９】
図９は、光コネクタ１２０及び光伝送ケーブル１１０を示す模式図である。同図に示すように光伝送ケーブル１１０は凹部１２１ａに挿入され、光伝送ケーブル１１０の端部が導光部１５０に対向するように配置される。
【００６０】
光伝送ケーブル１１０が凹部１２１ａに配置された後に、注入孔１２２ａから接着剤が注入され、支持部材１２１、光伝送ケーブル１１０及び蓋部材１２２が互いに固定される。また、支持部材１２１と蓋部材１２２によって形成される空間１２０ａには注入孔１２２ｂから封止樹脂が注入され、封止される。
【００６１】
光コネクタ１２０の構成は上述のものに限定されず、光伝送ケーブル１１０の端部を導光部１５０に対向させ、固定することが可能な構造であればよい。
【００６２】
［導光部の構成］
図１０は、導光部１５０及び光伝送ケーブル１１０の断面図であり、図１１は導光部１５０の斜視図である。これらの図に示すように、導光部１５０は、第１面１５１、第２面１５２及び傾斜面１５３を備える三角柱状の部分である。
【００６３】
図３に示すように、光ファイバ列１１１ａ及び光ファイバ列１１１ｂにおける光ファイバ１１１の配列方向をＸ方向、光ファイバ列１１１ａと光ファイバ列１１１ｂの配列方向をＹ方向、光ファイバ１１１からの出射光の光軸方向をＺ方向とする。
【００６４】
第１面１５１はＸ−Ｙ平面に沿った面であり、第２面１５２はＸ−Ｚ平面に沿った面である。傾斜面１５３は、Ｘ−Ｚ平面に対して傾斜した面である。Ｘ−Ｚ平面に対する傾斜角度は例えば４５°又は５０°とすることができる。
【００６５】
図９に示すように、導光部１５０は支持部材１２１の一部であり、第１面１５１及び傾斜面１５３の一部は支持部材１２１に連続しているものとすることができる。また、導光部１５０は支持部材１２１とは別の部材であってもよい。導光部１５０の材料は特に限定されないが、光透過性及び耐光性が高い材料が好適であり、例えばＰＰＳ（ポリフェニレンサルファイド）を利用することができる。
【００６６】
図１０に示すように、光ファイバ１１１の端部は第１面１５１に対向する。この端部は、第１面１５１に当接してもよく、第１面１５１から離間してもよい。ただし、端部が第１面１５１から離間する場合、各光ファイバ１１１の端部と第１面１５１の距離は同一とする必要がある。
【００６７】
傾斜面１５３には反射レンズ１５４及び反射レンズ１５５が設けられている。図１２は、傾斜面１５３をＺ方向から見た図である。同図に示すように、傾斜面１５３にはＸ方向に配列する複数の反射レンズ１５４からなる反射レンズ列１５４ａと、同じくＸ方向に配列する複数の反射レンズ１５５からなる反射レンズ列１５５ａが設けられている。
【００６８】
反射レンズ１５４は、図１２に示すようにＹ方向が長軸方向となる楕円形状とすることができる。また、反射レンズ１５４は、Ｙ方向が短軸方向となる楕円形状であってもよい。反射レンズ１５４の数は、光ファイバ１１５の数と同数であり、各反射レンズ１５４には、Ｚ方向において各光ファイバ１１５と対向する。
【００６９】
反射レンズ１５５は、図１２に示すようにＹ方向が長軸方向となる楕円形状とすることができる。また、反射レンズ１５５は、Ｙ方向が短軸方向となる楕円形状であってもよい。反射レンズ１５５の数は、光ファイバ１１６の数と同数であり、各反射レンズ１５５には、Ｚ方向において各光ファイバ１１６と対向する。
【００７０】
反射レンズ１５４と反射レンズ１５５が設けられている傾斜面１５３はＸ−Ｚ平面に対して傾斜しているため、反射レンズ１５４の中心と反射レンズ１５５の中心はＺ方向及びＹ方向において互いに離間する。反射レンズ１５４と反射レンズ１５５の傾斜面１５３における配列ピッチ（図中Ｐ２、各レンズの中心間の距離）は、例えば２５０μｍとすることができる。
【００７１】
また、図１０に示すように、傾斜面１５３には、光反射領域１５３ａが設けられている。光反射領域１５３ａは、全反射ミラー又は金属ミラーであり、傾斜面１５３上にアルミニウム又はステンレス等の光反射性の高い材料からなる薄膜を形成したものとすることができる。光反射領域１５３ａは、傾斜面１５３の全体に設けられてもよく、反射レンズ１５４及び反射レンズ１５５の内部にのみ設けられてもよい。
【００７２】
第２面１５２には、コリメートレンズ１５６及びコリメートレンズ１５７が設けられている。図１３は、第２面１５２をＹ方向から見た図である。同図に示すように、第２面１５２にはＸ方向に配列する複数のコリメートレンズ１５６からなるコリメートレンズ列１５６ａと、同じくＸ方向に配列する複数のコリメートレンズ１５７からなるコリメートレンズ列１５７ａが設けられている。コリメートレンズ列１５６ａとコリメートレンズ列１５７ａは、Ｚ方向に沿って配列している。
【００７３】
コリメートレンズ１５６は、球面レンズ又は非球面レンズである。コリメートレンズ１５６のレンズ直径は例えば２４０μｍとすることができる。コリメートレンズ１５６の数は、反射レンズ１５４の数と同数である。各コリメートレンズ１５６は、Ｙ方向において各反射レンズ１５４と対向する。
【００７４】
コリメートレンズ１５７は、球面レンズ又は非球面レンズである。コリメートレンズ１５７のレンズ直径は例えば２４０μｍとすることができる。コリメートレンズ１５７の数は、反射レンズ１５５の数と同数である。各コリメートレンズ１５７は、Ｙ方向において各反射レンズ１５５と対向する。
【００７５】
コリメートレンズ１５６とコリメートレンズ１５７が設けられている第２面１５２がＸ−Ｚ平面に平行であるため、コリメートレンズ１５６の中心とコリメートレンズ１５７の中心はＺ方向において互いに離間する。
【００７６】
コリメートレンズ１５６とコリメートレンズ１５７の第２面１５２における配列ピッチ（図中Ｐ３、各レンズの中心間の距離）は、例えば２５０μｍとすることができる。
【００７７】
上記のように、導光部１５０には、光ファイバ１１５及び光ファイバ１１６から出射した光が入射する。図１４は、導光部１５０に入射する光の経路を示す模式図であり、光ファイバ１１５から導光部１５０に入射する光の光軸を光軸Ｇ１、光ファイバ１１６から導光部１５０に入射する光の光軸を光軸Ｇ２として示す。
【００７８】
同図に示すように、光ファイバ１１５から出射された光Ｌ１は、Ｚ方向から反射レンズ１５４に入射する。反射レンズ１５４は、光Ｌ１をＹ方向に反射する。反射レンズ１５４の反射光を光Ｌ３として示す。
【００７９】
また、光ファイバ１１６から出射された光Ｌ２は、Ｚ方向から反射レンズ１５５に入射する。反射レンズ１５５は、光Ｌ２をＹ方向に反射する。反射レンズ１５５の反射光を光Ｌ４として示す。
【００８０】
反射レンズ１５４によって反射された光Ｌ３は、コリメートレンズ１５６に入射する。コリメートレンズ１５６は光Ｌ３を平行化（コリメート）し、Ｙ方出に射する。コリメートレンズ１５６の出射光を光Ｌ５として示す。
【００８１】
反射レンズ１５５によって反射された光Ｌ４は、コリメートレンズ１５７に入射する。コリメートレンズ１５７は光Ｌ４を平行化し、Ｙ方出に射する。コリメートレンズ１５７の出射光を光Ｌ６として示す。
【００８２】
図１４では、それぞれ１つずつの光ファイバ１１５及び光ファイバ１１６の出射光の経路について示すが、Ｘ方向に配列する複数の光ファイバ１１５及び複数の光ファイバ１１６（図３参照）のそれぞれ出射光も、図１４に示すような径路でコリメートレンズ１５６及びコリメートレンズ１５７から出射される。
【００８３】
光Ｌ５は、各コリメートレンズ１５６に対向する各光電変換素子１３５（図５参照）に入射し、電気信号に変換される。光Ｌ６は、コリメートレンズ１５７に対向する各光電変換素子１３６に入射し、電気信号に変換される。光Ｌ５と光Ｌ６のピッチ（光軸Ｇ１と光軸Ｇ２の距離）は例えば２５０μｍとすることができる。
【００８４】
ここで、光電変換素子１３３は発光素子であってもよく、この場合には光電変換素子１３３から出射された光が導光部１５０を介して光伝送ケーブル１１０に伝送される。この際の光の経路は、光ファイバ１１５及び光ファイバ１１６から導光部１５０に入射する光と逆の経路となる。
【００８５】
図１４に示すように、光電変換素子１３５から出射された光Ｌ５は対向するコリメートレンズ１５６に入射する。コリメートレンズ１５６は光Ｌ５を、反射レンズ１５４を介して光ファイバ１１５に集光する。コリメートレンズ１５６の出射光を光Ｌ３として示す。
【００８６】
また、光電変換素子１３６から出射された光Ｌ６は対向するコリメートレンズ１５７に入射する。コリメートレンズ１５７は光Ｌ６を、反射レンズ１５５を介して光ファイバ１１６に集光する。コリメートレンズ１５７の出射光を光Ｌ４として示す。
【００８７】
反射レンズ１５４は、入射した光Ｌ３を、Ｚ方向に反射する。反射レンズ１５４によって反射された光を光Ｌ１として示す。反射レンズ１５５は、入射した光Ｌ４を、Ｚ方向に反射する。反射レンズ１５５によって反射された光を光Ｌ２として示す。
【００８８】
反射レンズ１５４によって反射された光Ｌ１は光ファイバ１１５に入射し、反射レンズ１５５によって反射された光Ｌ２は光ファイバ１１６に入射する。
【００８９】
［各レンズの構成］
上記のように反射レンズ１５４は、光Ｌ１を反射して光Ｌ３をコリメートレンズ１５６に到達させる。また、反射レンズ１５５は、光Ｌ２を反射して光Ｌ４をコリメートレンズ１５７に到達させる。
【００９０】
図１５は、コリメートレンズ１５６及びコリメートレンズ１５７近傍の拡大図である。同図に示すように光Ｌ３がコリメートレンズ１５６に到達する際の光径を光径Ｒ１とし、光Ｌ４がコリメートレンズ１５７に到達する際の光径を光径Ｒ２とする。ここで、反射レンズ１５４と反射レンズ１５５は、光径Ｒ１と光径Ｒ２が同一の光径となる形状に形成されている。
【００９１】
図１４に示すように、反射レンズ１５４と反射レンズ１５５は傾斜面１５３に形成されているため、光ファイバ１１５と反射レンズ１５４のＺ方向の距離と、光ファイバ１１６と反射レンズ１５５のＺ方向の距離は異なる。したがって、反射レンズ１５４と反射レンズ１５５は互いに異なる形状を有しており、光径Ｒ１と光径Ｒ２が同一の光径となるように構成されている。
【００９２】
コリメートレンズ１５６は、光径Ｒ１を有する光Ｌ３を平行化して光径Ｒ１を有する光Ｌ５を出射する。コリメートレンズ１５７は、光径Ｒ２を有する光Ｌ４を平行化して光径Ｒ２を有する光Ｌ５を出射する。これにより、光電変換素子１３５と光電変換素子１３６には同一の光径を有する平行光が出射される。
【００９３】
また、上記のように、コリメートレンズ１５６は光Ｌ５を、反射レンズ１５４を介して光ファイバ１１５に集光する。したがって、コリメートレンズ１５６は、入射光が光ファイバ１１５に集光されるような形状を有する。
【００９４】
同様にコリメートレンズ１５７は光Ｌ６を、反射レンズ１５５を介して第２光ファイバ１１６に集光する。したがって、コリメートレンズ１５７は、入射光が光ファイバ１１６に集光されるような形状を有する。
【００９５】
［光コネクタの効果について］
本技術に係る光コネクタ１２０の効果について、比較例との比較の上で説明する。
【００９６】
図１６は、第１の比較例に係る光コネクタの導光部９１０と光伝送ケーブル９２０の模式図である。光伝送ケーブル９２０は、光ファイバ９２１と光ファイバ９２２を含み、光ファイバ９２１及び光ファイバ９２２はコア９２３を備える。
【００９７】
同図に示すように、導光部９１０は第１面９１１、第２面９１２、傾斜面９１３、第２面９１２上に形成されたコリメートレンズ９１４及びコリメートレンズ９１５を備える。傾斜面９１３は光反射面である。
【００９８】
同図に示すように、光ファイバ９２１から出射された光Ｄ１は、傾斜面９１３によって反射され、コリメートレンズ９１４に入射する。また、光ファイバ９２２から出射された光Ｄ２は、傾斜面９１３によって反射され、コリメートレンズ９１５に入射する。
【００９９】
コリメートレンズ９１４は入射した光Ｄ１を平行化して出射する。コリメートレンズ９１５は入射した光Ｄ２を平行化して出射する。ここで、同図に示すように、光ファイバをＹ方向に配列させると、各光ファイバから各コリメートレンズまでの光路長が、光ファイバとコリメートレンズがそれぞれ１つの場合に比べて長くなる。このため、光ファイバの出射光がコリメートレンズに到達した際に光径が大きくなってしまう。
【０１００】
平行光の光径が大きくなると、後述するようにコリメートレンズの端部において光のケラレ（口径食）が生じ、光結合損失が大きくなってくる。これに対し、本技術に係る光コネクタ１２０では上記のように、傾斜面１５３に設けられた反射レンズ１５４及び反射レンズ１５５によって入射光が集光されるため、光Ｌ５及び光Ｌ６の光径を小さくし、光結合損失を抑えることが可能である。
【０１０１】
また、図１７は、第２の比較例に係る光コネクタの導光部９３０と光伝送ケーブル９４０の模式図である。光伝送ケーブル９４０は、光ファイバ９４１と光ファイバ９４２を含み、光ファイバ９４１及び光ファイバ９４２はコア９４３を備える。
【０１０２】
同図に示すように、導光部９３０は第１面９３１、第２面９３２、傾斜面９３３、傾斜面９３３上に形成された第１レンズ９３４及び第２レンズ９３５を備える。傾斜面９３３は光反射面である。
【０１０３】
第１レンズ９３４は、入射光を反射する反射レンズであり、かつ入射光を平行化するコリメートレンズである。第２レンズ９３５は、入射光を反射する反射レンズであり、かつ入射光を平行化するコリメートレンズである。
【０１０４】
同図に示すように、光ファイバ９４１から出射された光Ｄ１は、第１レンズ９３４によって反射され、かつ平行化される。また、光ファイバ９４２から出射された光Ｄ２は、第２レンズ９３５によって反射され、かつ平行化される。
【０１０５】
この場合、光ファイバ９４１と第１レンズ９３４の間のＺ方向の距離と、光ファイバ９４２と第２レンズ９３５の間のＺ方向の距離は異なる。このため、第１レンズ９３４に到達した光Ｄ１と第２レンズ９３５に到達した光Ｄ２は光径が異なる。その状態で第１レンズ９３４及び第２レンズ９３５が入射光を平行化するため、導光部９３０から出射される光Ｄ１の光径（図中Ｆ１）と光Ｄ２の光径（図中Ｆ２）は異なる。
【０１０６】
そうすると、この光コネクタが横にずれた場合や傾いた場合等に、光Ｄ１と光電変換素子の間と光Ｄ２と光電変換素子の間で光結合損失の差が発生し、光ファイバ９４１と第２光ファイバ９４２の間で光信号の品位に差異が生じる。したがって、このような構造では、光コネクタと光電変換素子の間で高精度に位置決めする必要があり、低コストである有機基板等の利用が不可能である。
【０１０７】
これに対し、本技術に係る光コネクタ１２０では上記のように、導光部１５０から出射される光Ｌ５と光Ｌ６は同一の光径となるように構成されている。したがって、光コネクタが横にずれた場合や傾いた場合等であっても第２の比較例のような光結合損失の差が生じない。
【０１０８】
以上のように、本技術に係る光コネクタ１２０は、導光部１５０から光径が比較的小さく、かつ同一である光Ｌ５と光Ｌ６が出射される。これにより、平行光と光電変換素子の間の光結合損失が抑制され、光コネクタと光電変換素子の間の位置ズレがある程度許容される。このため、低コストである有機基板等を利用しても高品位の光信号を伝送することが可能である。
【０１０９】
［光径について］
コリメートレンズ１５６が出射する光Ｌ５の光径Ｒ１（図１５参照）とコリメートレンズ１５７が出射する光Ｌ６の光径Ｒ２は、共に１６０μｍ以上２００μｍ以下が好適である。以下、その理由について説明する。
【０１１０】
図４に示す光ファイバ１１１の直径Ｔは、２５０μｍとすることができる。光ファイバは、規格により直径が２５０μｍと定められているものが多い。この場合、図３に示すように光伝送ケーブル１１０における光ファイバ１１１の配列ピッチＰ１も２５０μｍとなる。マルチモード光ファイバの開口数（ＮＡ）も規格により０．２と定められているものが多い。
【０１１１】
ここで、第１の比較例（図１６参照）の構造において、光ファイバ９２１及び光ファイバ９２２の径を２５０μｍ、配列ピッチを２５０μｍとして設計しようとしても、光学原理上、実現困難となる。
【０１１２】
具体的にはコリメートレンズ間の軸ズレマージン確保のため、コリメートレンズ９１４及びコリメートレンズ９１５の径を２４０μｍ、各コリメートレンズからの出射光の光径を１８０μｍとする。コリメートレンズ径は、上述の理由から、レンズピッチを２５０μｍに設定した場合を想定し、その範囲内でのほぼ最大径として２４０μｍとする。また、光径１８０μｍは、できるだけズレに対する許容度をとり、かつ、外乱に強い径として種々解析した結果、１８０μｍを最適な径とした。
【０１１３】
これは、平行光の光径が小さすぎると、レンズ集光系の開口数が小さくなるため、照射スポットが大きくぼやける。したがって、平行光の傾き、即ち光コネクタの傾きに弱い光学系となる。図１８は、傾きの影響をシミュレートとした結果である。同図に示すように、平行光の光径が小さいほど、傾きによる結合損失が大きくなる。また、平行光の光径が小さいと、光路における異物に対する遮光耐性も小さくなる。このため、光径Ｒ１と光径Ｒ２は共に１６０μｍ以上が好適である。
【０１１４】
一方、平行光の光径が大きすぎると、平行光の横ズレに対する耐性が小さくなる。即ち、径２４０μｍ−径１８０μｍの関係から、平行光が±３０μｍずれると、レンズ端部に置いて光のケラレ（口径食）が生じ、損失が大きくなってくる。図１９は、横ズレの影響をシミュレートとした結果である。同図に示すように、平行光の光径が大きいほど、横ズレよる結合損失が大きくなる。このため、光径Ｒ１と光径Ｒ２は共に２００μｍ以下が好適である。
【０１１５】
以上の二つのトレードオフの関係をバランスよく保つ径として、平行光の光径は１６０μｍ以上２００μｍ以下が好適であり、その中でも特に１８０μｍが好適である。実際に、サンプルを試作し、光結合損失を測定した。図２０は、測定用サンプル８００の模式図である。同図に示すように測定用サンプル８００は、光ファイバ８１０とコリメートレンズ８２０を備える。
【０１１６】
光ファイバ８１０はファイバ径２５０μｍ、コリメートレンズ８２０は、光ファイバ８１０から入射した光を光径１８０μｍの平行光として出射するレンズである。２つの測定用サンプル８００を、コリメートレンズ８２０を対向させて離間させ、コリメートレンズ８２０の間での横ズレと光結合損失を測定した。図２１はその測定結果である。同図に示すように、平行光の光径が１８０μｍとすることにより、平行光の光軸が±５０μｍずれても、光結合損失の増加は１ｄＢ以下を保つことが確認された。
【０１１７】
マルチモード光ファイバは、マルチモード光ファイバ（ＭＭＦ）規格により開口数０．２と定められており、導光部１５０の材料となる樹脂の一般的な屈折率はおおよそ１．５が標準的な値である。これにより、規格品のマルチモード光ファイバから出射された光は、６００μｍの距離で直径１８０μｍとなる。
【０１１８】
ここで、第１の比較例（図１６参照）に示すように、光ファイバをＹ方向に配列させると、各光ファイバから各コリメートレンズまでの光路長が、光ファイバとコリメートレンズがそれぞれ１つの場合に比べて長くなる。このため、光ファイバの出射光がコリメートレンズに到達した際に光径が１８０μｍより大きくなってしまい、光径１８０μｍの平行光を出射させることができない。
【０１１９】
なお、導光部９１０のサイズを極限まで小さくすると、実現できる可能性もあるが、導光部９１０は成形樹脂であるため、必要な強度を維持することが困難である。
【０１２０】
したがって、第１の比較例に係る構造では平行光の光径を伝送に適した１８０μｍとすることが困難である。上記第２の比較例（図１７参照）では、どちらかの平行光の光径を１８０μｍとすることも可能であるが、上述のように平行光の光径に差異が生じるため、二つのコリメートレンズから出射される平行光の光径を共に１８０μｍとすることは不可能である。
【０１２１】
これに対し、本実施形態に係る光コネクタ１２０では、コリメートレンズ１５６から出射される光Ｌ５の光径Ｒ１と、コリメートレンズ１５７から出射される光Ｌ６の光径Ｒ２を共に１８０μｍとすることが可能である。
【０１２２】
以上から、本実施形態に係る光コネクタ１２０は、規格品である径２５０μｍの光ファイバを二次元配列して利用する際に特に好適である。
【０１２３】
（第２の実施形態）
本技術の第２の実施形態に係る光伝送モジュールについて説明する。第２の実施形態に係る光伝送モジュールにおいては、導光部以外の構成は第１の実施形態と同様であるので説明を省略する。
【０１２４】
［導光部の構成］
本実施形態に係る光伝送モジュールは、導光部２５０を備える。図２２は、導光部２５０及び光伝送ケーブル１１０の断面図である。同図に示すように導光部２５０は、第１面２５１、第２面２５２及び傾斜面２５３を備える三角柱状の部分である。
【０１２５】
光伝送ケーブル１１０は、第１の実施形態で説明したように、二次元的に配列する複数の光ファイバ１１１備える。図３に示すように、光ファイバ列１１１ａ及び光ファイバ列１１１ｂにおける光ファイバ１１１の配列方向をＸ方向、光ファイバ列１１１ａと光ファイバ列１１１ｂの配列方向をＹ方向、光ファイバ１１１からの出射光の光軸方向をＺ方向とする。
【０１２６】
第１面２５１はＸ−Ｙ平面に沿った面であり、第２面２５２はＸ−Ｚ平面に沿った面である。傾斜面２５３は、Ｘ−Ｚ平面に対して傾斜した面である。傾斜面２５３のＸ−Ｚ平面に対する傾斜角度は特に限定されないが、本実施形態では４５°未満であり、例えば同図に示すように４０°とすることができる。
【０１２７】
導光部２５０の材料は特に限定されないが、光透過性が高い材料が好適であり、例えばＰＰＳ（ポリフェニレンサルファイド）を利用することができる。
【０１２８】
図２２に示すように、光ファイバ１１１の端部は第１面２５１に対向する。この端部は、第１面２５１に当接してもよく、第１面２５１から離間してもよい。ただし、光ファイバ１１１の端部が第１面２５１から離間する場合、各光ファイバ１１１の端部と第１面２５１の距離は同一とする必要がある。
【０１２９】
傾斜面２５３には反射レンズ２５４及び反射レンズ２５５が設けられている。第１の実施形態と同様に複数の反射レンズ２５４はＸ方向に配列し、反射レンズ列を形成している。また、反射レンズ２５５もＸ方向に配列し、反射レンズ列を形成している。傾斜面２５３における反射レンズ２５４及び反射レンズ２５５の配列ピッチは例えば２５０μｍとすることができる。
【０１３０】
反射レンズ２５４は、Ｙ方向が長軸方向となる楕円形状とすることができる。また、反射レンズ２５４は、Ｙ方向が短軸方向となる楕円形状であってもよい。反射レンズ２５４の数は、光ファイバ１１５の数と同数であり、各反射レンズ２５４には、Ｚ方向において各光ファイバ１１５と対向する。
【０１３１】
反射レンズ２５５は、Ｙ方向が長軸方向となる楕円形状とすることができる。また、反射レンズ２５５は、Ｙ方向が短軸方向となる楕円形状であってもよい。反射レンズ２５５の数は、光ファイバ１１６の数と同数であり、各反射レンズ２５５には、Ｚ方向において各光ファイバ１１６と対向する。
【０１３２】
反射レンズ２５４と反射レンズ２５５が設けられている傾斜面２５３はＸ−Ｚ平面に対して傾斜しているため、反射レンズ２５４の中心と反射レンズ２５５中心はＺ方向及びＹ方向において互いに離間する。
【０１３３】
また、図２２に示すように、傾斜面２５３には、光反射領域２５３ａが設けられている。光反射領域２５３ａは、全反射ミラー又は金属ミラーであり、傾斜面２５３上にアルミニウム又はステンレス等の光反射性の高い材料からなる薄膜を形成したものとすることができる。光反射領域２５３ａは、傾斜面２５３の全体に設けられてもよく、反射レンズ２５４及び反射レンズ２５５の内部にのみ設けられてもよい。
【０１３４】
第２面２５２には、コリメートレンズ２５６及びコリメートレンズ２５７が設けられている。第１の実施形態と同様に複数のコリメートレンズ２５６はＸ方向に配列し、コリメートレンズ列を形成している。また、コリメートレンズ２５７もＸ方向に配列し、コリメートレンズ列を形成している。第２面２５２におけるコリメートレンズ２５６及びコリメートレンズ２５７の配列ピッチは例えば２５０μｍとすることができる。
【０１３５】
コリメートレンズ２５６は、球面レンズ又は非球面レンズである。コリメートレンズ２５６の数は、反射レンズ２５４の数と同数である。各コリメートレンズ２５６は、第１の実施形態に係るコリメートレンズ１５６に比べて第１面２５１から離間した位置に設けられている。
【０１３６】
コリメートレンズ２５７は、球面レンズ又は非球面レンズである。コリメートレンズ２５７の数は、反射レンズ２５５の数と同数である。各コリメートレンズ２５７は、第１の実施形態に係るコリメートレンズ１５７に比べて第１面２５１から離間した位置に設けられている。
【０１３７】
コリメートレンズ２５６とコリメートレンズ２５７が設けられている第２面２５２はＸ−Ｚ平面に平行であるため、コリメートレンズ２５６の中心とコリメートレンズ２５７の中心はＺ方向において互いに離間する。
【０１３８】
導光部２５０には、光ファイバ１１５及び光ファイバ１１６から出射した光が入射する。図２３は、導光部２５０に入射する光の経路を示す模式図であり、光ファイバ１１５から導光部２５０に入射する光の光軸を光軸Ｇ１、光ファイバ１１６から導光部２５０に入射する光の光軸を光軸Ｇ２として示す。
【０１３９】
同図に示すように、光ファイバ１１５から出射された光Ｌ１は、Ｚ方向から反射レンズ２５４に入射する。反射レンズ２５４は、光Ｌ１をコリメートレンズ２５６の方向に反射する。反射レンズ２５４の反射光を光Ｌ３として示す。
【０１４０】
また、光ファイバ１１６から出射された光Ｌ２は、Ｚ方向から反射レンズ２５５に入射する。反射レンズ２５５は、光Ｌ２をコリメートレンズ２５７の方向に反射する。反射レンズ２５５の反射光を光Ｌ４として示す。
【０１４１】
反射レンズ２５４によって反射された光Ｌ３は、コリメートレンズ２５６に入射する。コリメートレンズ２５６は光Ｌ３を平行化し、Ｙ方向に出射する。コリメートレンズ２５６の出射光を光Ｌ５として示す。
【０１４２】
反射レンズ２５５によって反射された光Ｌ４は、コリメートレンズ２５７に入射する。コリメートレンズ２５７は光Ｌ４を平行化し、Ｙ方向に射する。コリメートレンズ２５７の出射光を光Ｌ６として示す。
【０１４３】
図２３では、それぞれ１つずつの光ファイバ１１５及び光ファイバ１１６の出射光の光路について示すが、Ｘ方向に配列する複数の光ファイバ１１５及び複数の光ファイバ１１６（図３参照）のそれぞれ出射光も、図２３に示すような光路でコリメートレンズ２５６及びコリメートレンズ２５７から出射される。
【０１４４】
光Ｌ５は、各コリメートレンズ２５６に対向する各光電変換素子１３５（図５参照）に入射し、電気信号に変換される。光Ｌ６は、コリメートレンズ２５７に対向する各光電変換素子１３６に入射し、電気信号に変換される。
【０１４５】
第１の実施形態と同様に、光電変換素子１３３は発光素子であってもよく、この場合には光電変換素子１３３から出射された光は、光Ｌ１〜光Ｌ６とは逆の経路で導光部２５０を通過し、光伝送ケーブル１１０に伝送される。
【０１４６】
この際、傾斜面２５３のＸ−Ｚ平面に対する傾斜角度は４５°未満であるため、コリメートレンズ２５６から傾斜面２５３に入射する光Ｌ３の光軸Ｇ１と傾斜面２５３がなす角は４５°未満となる。また、コリメートレンズ２５７から傾斜面２５３に入射する光Ｌ４の光軸Ｇ２と傾斜面２５３がなす角は４５°未満となる
【０１４７】
［各レンズの構成］
反射レンズ２５４と反射レンズ２５５は、第１の実施形態と同様に、光Ｌ３がコリメートレンズ２５６に到達する際の光径と光Ｌ４がコリメートレンズ２５７に到達する際の光径を光径が同一の光径となる形状に形成されている。
【０１４８】
また、コリメートレンズ２５６は入射光を、反射レンズ２５４を介して光ファイバ１１５に集光することが可能な形状を有し、コリメートレンズ２５７は入射光を、反射レンズ２５５を介して光ファイバ１１６に集光することが可能な形状を有する。
【０１４９】
［光コネクタの効果について］
本技術に係る光コネクタの効果について、比較例との比較の上で説明する。
【０１５０】
図２４は、上記比較例１に係る光コネクタにおける光の経路を示す模式図である。同図に示すように、光電変換素子からコリメートレンズ９１４に入射した光Ｅ１は、光反射面である傾斜面９１３において反射され光ファイバ９２１に入射する。ここで、傾斜面９１３で反射する際、光Ｅ１のうち３°程度の成分が反射せず、傾斜面９１３を透過してしまう。同図において、傾斜面９１３を透過した光を光Ｅ３として示す。
【０１５１】
光電変換素子からコリメートレンズ９１５に入射した光Ｅ２も同様に、３°程度の成分が反射せず傾斜面９１３を透過してしまう。同図において、傾斜面９１３を透過した光を光Ｅ４として示す。ここで、傾斜面９１３に反射レンズを設けると、損失成分はさらに大きくなる。
【０１５２】
これに対し、本技術に係る導光部２５０では、傾斜面２５３のＸ−Ｚ平面に対する傾斜角度を４５°未満とすることにより、コリメートレンズ２５６及びコリメートレンズ２５７から傾斜面２５３に入射する光の光軸に対する傾斜面２５３の傾斜角度を４５°未満としている。
【０１５３】
これにより、コリメートレンズ２５６から反射レンズ２５４へ入射する光及びコリメートレンズ２５７から反射レンズ２５５へ入射する光の入射角度が小さくなり、反射レンズ２５４及び反射レンズ２５５を透過する光の損失成分を抑制することが可能となる。
【０１５４】
（第３の実施形態）
本技術の第３の実施形態に係る光伝送モジュールについて説明する。第３の実施形態に係る光伝送モジュールにおいては、導光部以外の構成は第１の実施形態と同様であるので説明を省略する。
【０１５５】
［導光部の構成］
本実施形態に係る光伝送モジュールは、導光部３５０を備える。図２５は、導光部３５０及び光伝送ケーブル１１０の断面図である。同図に示すように導光部３５０は、第１面３５１、第２面３５２及び傾斜面３５３を備える三角柱状の部分である。
【０１５６】
光伝送ケーブル１１０は、第１の実施形態で説明したように、二次元的に配列する複数の光ファイバ１１１備える。図３に示すように、光ファイバ列１１１ａ及び光ファイバ列１１１ｂにおける光ファイバ１１１の配列方向をＸ方向、光ファイバ列１１１ａと光ファイバ列１１１ｂの配列方向をＹ方向、光ファイバ１１１からの出射光の光軸方向をＺ方向とする。
【０１５７】
第１面３５１はＸ−Ｙ平面に沿った面である。本実施形態においては光ファイバ１１５及び光ファイバ１１６は第２面３５２に対して傾斜しており、即ち第２面３５２は、Ｘ−Ｚ平面に対して傾斜している。図中に示すように第２面３５２のＸ−Ｚ平面に対する傾斜角度は例えば５°とすることができる。
【０１５８】
傾斜面３５３は、Ｘ−Ｚ平面に対して傾斜した面である。傾斜面３５３の傾斜角度は例えばＸ−Ｚ平面に対して４０°、第２面３５２に対して４５°とすることができる。光ファイバ１１５及び光ファイバ１１６を第２面３５２に対して傾斜させることにより、Ｘ−Ｚ平面と傾斜面３５３のなす角は小さくなる。
【０１５９】
導光部３５０の材料は特に限定されないが、光透過性が高い材料が好適であり、例えばＰＰＳ（ポリフェニレンサルファイド）を利用することができる。
【０１６０】
図２５に示すように、光ファイバ１１１の端部は第１面３５１に対向する。この端部は、第１面３５１に当接してもよく、第１面３５１から離間してもよい。ただし、光ファイバ１１１の端部が第１面３５１から離間する場合、各光ファイバ１１１の端部と第１面３５１の距離は同一とする必要がある。
【０１６１】
傾斜面３５３には反射レンズ３５４及び反射レンズ３５５が設けられている。
第１の実施形態と同様に複数の反射レンズ３５４はＸ方向に配列し、反射レンズ列を形成している。また、反射レンズ３５５もＸ方向に配列し、反射レンズ列を形成している。傾斜面３５３における反射レンズ３５４及び反射レンズ３５５の配列ピッチは例えば２５０μｍとすることができる。
【０１６２】
反射レンズ３５４は、Ｙ方向が長軸方向となる楕円形状とすることができる。また、反射レンズ３５４は、Ｙ方向が短軸方向となる楕円形状であってもよい。反射レンズ３５４の数は、光ファイバ１１５の数と同数であり、各反射レンズ３５４には、Ｚ方向において各光ファイバ１１５と対向する。
【０１６３】
反射レンズ３５５は、Ｙ方向が長軸方向となる楕円形状とすることができる。また、反射レンズ３５５は、Ｙ方向が短軸方向となる楕円形状であってもよい。反射レンズ３５５の数は、光ファイバ１１６の数と同数であり、各反射レンズ３５５には、Ｚ方向において各光ファイバ１１５と対向する。
【０１６４】
反射レンズ３５４と反射レンズ３５５が設けられている傾斜面３５３はＸ−Ｚ平面に対して傾斜しているため、反射レンズ３５４の中心と反射レンズ３５５中心はＺ方向及びＹ方向において互いに離間する。
【０１６５】
また、図２５に示すように、傾斜面３５３には、光反射領域３５３ａが設けられている。光反射領域３５３ａは、全反射ミラー又は金属ミラーであり、傾斜面３５３上にアルミニウム又はステンレス等の光反射性の高い材料からなる薄膜を形成したものとすることができる。光反射領域３５３ａは、傾斜面３５３の全体に設けられてもよく、反射レンズ３５４及び反射レンズ３５５の内部にのみ設けられてもよい。
【０１６６】
第２面３５２には、コリメートレンズ３５６及びコリメートレンズ３５７が設けられている。第１の実施形態と同様に複数のコリメートレンズ３５６はＸ方向に配列し、コリメートレンズ列を形成している。また、コリメートレンズ３５７もＸ方向に配列し、コリメートレンズ列を形成している。第２面３５２におけるコリメートレンズ３５６及びコリメートレンズ３５７の配列ピッチは例えば２５０μｍとすることができる。
【０１６７】
コリメートレンズ３５６は、球面レンズ又は非球面レンズである。コリメートレンズ３５６の数は、反射レンズ３５４の数と同数である。各コリメートレンズ３５６は、第１の実施形態に係るコリメートレンズ１５６に比べて第１面３５１から離間した位置に設けられている。
【０１６８】
コリメートレンズ３５７は、球面レンズ又は非球面レンズである。コリメートレンズ３５７の数は、反射レンズ３５５の数と同数である。各コリメートレンズ３５７は、第１の実施形態に係るコリメートレンズ１５７に比べて第１面３５１から離間した位置に設けられている。
【０１６９】
コリメートレンズ３５６とコリメートレンズ３５７が設けられている第２面３５２はＸ−Ｚ平面に対して傾斜しているため、コリメートレンズ３５６の中心とコリメートレンズ３５７の中心はＺ方向及びＹ方向において互いに離間する。
【０１７０】
導光部３５０には、光ファイバ１１５及び光ファイバ１１６から出射した光が入射する。図２６は、導光部３５０に入射する光の経路を示す模式図であり、光ファイバ１１５から導光部３５０に入射する光の光軸を光軸Ｇ１、光ファイバ１１６から導光部３５０に入射する光の光軸を光軸Ｇ２として示す。
【０１７１】
同図に示すように、光ファイバ１１５から出射された光Ｌ１は、Ｚ方向から反射レンズ３５４に入射する。反射レンズ３５４は、光Ｌ１をコリメートレンズ３５６の方向に反射する。反射レンズ３５４の反射光を光Ｌ３として示す。
【０１７２】
また、光ファイバ１１６から出射された光Ｌ２は、Ｚ方向から反射レンズ３５５に入射する。反射レンズ３５５は、光Ｌ２をコリメートレンズ３５７の方向に反射する。反射レンズ３５５の反射光を光Ｌ４として示す。
【０１７３】
反射レンズ３５４によって反射された光Ｌ３は、コリメートレンズ３５６に入射する。コリメートレンズ３５６は光Ｌ３を平行化し、Ｙ方向に対して傾斜した方向に出射する。コリメートレンズ３５６の出射光を光Ｌ５として示す。
【０１７４】
反射レンズ３５５によって反射された光Ｌ４は、コリメートレンズ３５７に入射する。コリメートレンズ３５７は光Ｌ４を平行化し、Ｙ方向に対して傾斜した方向に出射する。コリメートレンズ３５７の出射光を光Ｌ６として示す。
【０１７５】
図２６では、それぞれ１つずつの光ファイバ１１５及び光ファイバ１１６の出射光の光路について示すが、Ｘ方向に配列する複数の光ファイバ１１５及び複数の光ファイバ１１６（図３参照）のそれぞれ出射光も、図２６に示すような経路でコリメートレンズ３５６及びコリメートレンズ３５７から出射される。
【０１７６】
光Ｌ５は、各コリメートレンズ３５６に対向する各光電変換素子１３５（図５参照）に入射し、電気信号に変換される。光Ｌ６は、コリメートレンズ３５７に対向する各光電変換素子１３６に入射し、電気信号に変換される。
【０１７７】
第１の実施形態と同様に、光電変換素子１３３は発光素子であってもよく、この場合には光電変換素子１３３から出射された光は、光Ｌ１〜光Ｌ６とは逆の経路で導光部３５０を通過し、光伝送ケーブル１１０に伝送される。
【０１７８】
この際、第２面３５２のＸ−Ｚ平面に対する傾斜角度は５°以上であるため、コリメートレンズ３５６から傾斜面３５３に入射する光Ｌ３の光軸Ｇ１と傾斜面３５３がなす角は４５°未満となる。また、コリメートレンズ３５７から傾斜面３５３に入射する光Ｌ４の光軸Ｇ２と傾斜面３５３がなす角は４５°未満となる
【０１７９】
［各レンズの構成］
反射レンズ３５４と反射レンズ３５５は、第１の実施形態と同様に、光Ｌ３がコリメートレンズ３５６に到達する際の光径と光Ｌ４がコリメートレンズ３５７に到達する際の光径を光径が同一の光径となる形状に形成されている。
【０１８０】
また、コリメートレンズ３５６は入射光を、反射レンズ３５４を介して光ファイバ１１５に集光することが可能な形状を有し、コリメートレンズ３５７は入射光を、反射レンズ３５５を介して光ファイバ１１６に集光することが可能な形状を有する。
【０１８１】
［光コネクタの効果について］
本実施形態に係る導光部３５０では、上記のように光ファイバ１１５及び光ファイバ１１６を第２面３５２に対して５°以上傾けている。これにより、光ファイバ１１５及び光ファイバ１１６から出射される光の光軸に対する傾斜面３５３の傾斜角度が小さくなり、この光とは逆の経路で導光部３５０に入射する光の傾斜面３５３に対する傾斜角度も小さくなる。
【０１８２】
具体的には、コリメートレンズ３５６及びコリメートレンズ３５７から傾斜面３５３に入射する光の光軸に対する傾斜面３５３の傾斜角度は４５°未満となっている。これにより、第２の実施形態と同様に反射レンズ３５４及び反射レンズ３５５を透過する光の損失成分を抑制することが可能となる。
【０１８３】
（変形例１）
本技術の変形例に係る光伝送モジュールについて説明する。図２７は、第１の実施形態の変形例に係る光伝送モジュールが備える導光部１５０を示す断面図であり、図２８は同光伝送モジュールの導光部１５０が備える第２面１５２の平面図である。
【０１８４】
これらの図に示すように、第２面１５２にはアパーチャ４０１を設けてもよい。アパーチャ４０１は、コリメートレンズ１５６とコリメートレンズ１５７のそれぞれのコリメートレンズの間に設けられ、隣接するコリメートレンズの間で遮光する格子状の部材である。
【０１８５】
アパーチャ４０１は第２面１５２から突出する土手形状とすることができ、幅１０μｍ、高さ１０μｍとすることができる。また、アパーチャ４０１は第２面１５２から突出しない平面構造であってもよい。アパーチャ４００の色は、光の散乱を防ぐため、吸収色である黒色系が好ましい。
【０１８６】
アパーチャ４０１によって、各コリメートレンズの間で光が遮蔽され、コリメートレンズ間での光の漏洩（迷光）をより防止することが可能となる。
【０１８７】
本技術の第２の実施形態及び第３の実施形態においても、コリメートレンズの周囲にアパーチャを設けてもよい。
【０１８８】
（変形例２）
上記各実施形態において、光伝送ケーブル１１０は、複数の光ファイバ１１１が二次元的に配列した構成としたが、本技術は他の構成を有する光伝送ケーブルについても適用可能である。
【０１８９】
図２９は第１の変形例に係る光伝送ケーブル５１０の断面図である。同図に示すように光伝送ケーブル５１０は二つのテープ心線５１１を備える。テープ心線５１１は、複数の光ファイバ５１２と第２被覆層５１３を備える。
【０１９０】
光ファイバ５１２は、コア及びクラッドからなる光ファイバ芯５１４と光ファイバ芯５１４を被覆する第１被覆層５１５を備える。第１被覆層５１５は紫外線硬化樹脂等からなる。複数の光ファイバ５１２は、Ｘ方向に沿って配列する光ファイバ列５１２ａと同じくＸ方向に沿って配列する光ファイバ列５１２ｂを形成し、光ファイバ列５１２ａと光ファイバ列５１２ｂはそれぞれ紫外線硬化樹脂等からなる第２被覆層５１３によって被覆されている。
【０１９１】
二つのテープ心線５１１は、Ｙ方向に沿って積層されている。この構成においても、光伝送路であるコアはＸ方向及びＹ方向の２方向に沿って配列し、即ち二次元的に配列している。
【０１９２】
図３０は第２の変形例に係る光伝送ケーブル５２０の断面図である。同図に示すように光伝送ケーブル５２０は複数の光ファイバ５２１と第２被覆層５２２を備える。
【０１９３】
光ファイバ５２１は、コア及びクラッドからなる光ファイバ芯５２３と光ファイバ芯５２３を被覆する第１被覆層５２４を備える。第１被覆層５２４は紫外線硬化樹脂等からなる。
【０１９４】
複数の光ファイバ５２１は、Ｘ方向に沿って配列する光ファイバ列５２１ａと同じくＸ方向に沿って配列する光ファイバ列５２１ｂを形成し、光ファイバ列５２１ａと光ファイバ列５２１ｂはＹ方向に配列する。複数の光ファイバ５２１は、第２被覆層５２２によって被覆されている。この構成においても、光伝送路であるコアはＸ方向及びＹ方向の２方向に沿って配列し、即ち二次元的に配列している。
【０１９５】
図３１は第３の変形例に係る光伝送ケーブル５３０の断面図である。同図に示すように光伝送ケーブル５２０は複数のコア５３１、クラッド５３２及び被覆層５３３を備える。
【０１９６】
複数のコア５３１は、Ｘ方向に沿って配列するコア列５３１ａと同じくＸ方向に沿って配列するコア列５３１ｂを形成し、コア列５３１ａとコア列５３１ｂはＹ方向に配列する。複数のコア５３１は、クラッド５３２によって被覆され、クラッド５３２は紫外線硬化樹脂等からなる被覆層５３３によって被覆されている。この構成においても、光伝送路であるコア５３１はＸ方向及びＹ方向の２方向に沿って配列し、即ち二次元的に配列している。
【０１９７】
この他にも本技術に係る光コネクタは、二次元的に配列する光伝送路を備える光伝送ケーブルの接続に利用可能である。光伝送ケーブルは一本に限られず、複数の光伝送ケーブルを束ねたものであってもよい。
【０１９８】
なお、本技術は以下のような構成もとることができる。
【０１９９】
（１）
二次元配列で配列する複数の光伝送路用の光コネクタであって、
上記複数の光伝送路に含まれる第１の光伝送路からの出射光を反射する第１のレンズと、
上記複数の光伝送路に含まれる第２の光伝送路からの出射光を反射する第２のレンズと、
上記第１のレンズによって反射された光を平行化する第３のレンズと、
上記第２のレンズによって反射された光を平行化する第４のレンズと
を具備する光コネクタ。
【０２００】
（２）
上記（１）に記載の光コネクタであって、
上記第３のレンズは、上記第１の光伝送路からの出射光とは逆方向から入射した平行光を上記第１のレンズを介して上記第１の光伝送路に集光し、
上記第４のレンズは、上記第２の光伝送路からの出射光とは逆方向から入射した平行光を上記第２のレンズを介して上記第２の光伝送路に集光する
光コネクタ。
【０２０１】
（３）
上記（１）又は（２）に記載の光コネクタであって、
上記第１の光伝送路と上記第２の光伝送路は同一の開口数を有し、
上記第１のレンズは、上記第１の光伝送路からの出射光を第１の光径で上記第３のレンズに入射させ、
上記第２のレンズは、上記第２の光伝送路からの出射光を上記第１の光径で上記第４のレンズに入射させる
光コネクタ。
【０２０２】
（４）
上記（１）から（３）のうちいずれか一つに記載の光コネクタであって、
上記第１の光径は１６０μｍ以上２００μｍ以下である
光コネクタ。
【０２０３】
（５）
上記（１）から（４）のうちいずれか一つに記載の光コネクタであって、
上記複数の光伝送路は、上記第１の方向に沿って上記第１の光伝送路が配列した第１の光伝送路列と、上記第１の方向に沿って上記第２の光伝送路が配列した第２の光伝送路列を含み、上記第１の光伝送路列と上記第２の光伝送路列は、上記第１の方向に直交する第２の方向に沿って配列する
光コネクタ。
【０２０４】
（６）
上記（５）に記載の光コネクタであって、
上記第１の方向と上記第２の方向における光伝送路の配列ピッチは２５０μｍである
光コネクタ。
【０２０５】
（７）
上記（５）又は（６）に記載の光コネクタであって、
上記第１の光伝送路及び上記第２の光伝送路は第１の面に対向し、
上記第３のレンズ及び上記第４のレンズは第２の面に設けられ、
上記第１のレンズ及び上記第２のレンズは、上記第１の方向及び上記第２の方向に直交する第３の方向に対して傾斜する傾斜面に設けられている
光コネクタ。
【０２０６】
（８）
上記（７）に記載の光コネクタであって、
上記第２の面における上記第３のレンズ及び上記第４のレンズの配列ピッチは２５０μｍである
光コネクタ。
【０２０７】
（９）
上記（７）又は（８）に記載の光コネクタであって、
上記第３のレンズ及び上記第４のレンズから上記傾斜面に入射する光の光軸と上記傾斜面のなす角は４５°未満である
光コネクタ。
【０２０８】
（１０）
上記（７）から（９）のうちいずれか一つに記載の光コネクタであって、
上記第２の面において、複数の上記第３のレンズと複数の上記第４のレンズのそれぞれのレンズの間に設けられ、隣接するレンズの間で遮光するアパーチャ
をさらに具備する光コネクタ。
【０２０９】
（１１）
二次元配列で配列する複数の光伝送路と、
上記複数の光伝送路に含まれる第１の光伝送路からの出射光を反射する第１のレンズと、上記複数の光伝送路に含まれる第２の光伝送路からの出射光を反射する第２のレンズと、上記第１のレンズによって反射された光を平行化する第３のレンズと、上記第２のレンズによって反射された光を平行化する第４のレンズとを備える光コネクタと
を具備する光伝送モジュール。
【符号の説明】
【０２１０】
１００…光伝送モジュール
１１０…光伝送ケーブル
１１１、１１５、１１６…光ファイバ
１２０…光コネクタ
１３０…コネクタ接続部
１３３、１３５、１３６…光電変換素子
１５０、２５０、３５０…導光部
１５１、２５１、３５１…第１面
１５２、２５２、３５２…第２面
１５３、２５３、３５３…傾斜面
１５４、２５４、３５４…反射レンズ
１５５、２５５、３５５…反射レンズ
１５６、２５６、３５６…コリメートレンズ
１５７、２５７、３５７…コリメートレンズ
【図１】
2017134282.tif 000003
【図２】
2017134282.tif 000004
【図３】
2017134282.tif 000005
【図４】
2017134282.tif 000006
【図５】
2017134282.tif 000007
【図６】
2017134282.tif 000008
【図７】
2017134282.tif 000009
【図８】
2017134282.tif 000010
【図９】
2017134282.tif 000011
【図１０】
2017134282.tif 000012
【図１１】
2017134282.tif 000013
【図１２】
2017134282.tif 000014
【図１３】
2017134282.tif 000015
【図１４】
2017134282.tif 000016
【図１５】
2017134282.tif 000017
【図１６】
2017134282.tif 000018
【図１７】
2017134282.tif 000019
【図１８】
2017134282.tif 000020
【図１９】
2017134282.tif 000021
【図２０】
2017134282.tif 000022
【図２１】
2017134282.tif 000023
【図２２】
2017134282.tif 000024
【図２３】
2017134282.tif 000025
【図２４】
2017134282.tif 000026
【図２５】
2017134282.tif 000027
【図２６】
2017134282.tif 000028
【図２７】
2017134282.tif 000029
【図２８】
2017134282.tif 000030
【図２９】
2017134282.tif 000031
【図３０】
2017134282.tif 000032
【図３１】
2017134282.tif 000033